(57)【要約】モジュール式靴は２つのパートの靴のデザインによって提供される。第１のパートは、中物部およびかかと革を含む内部サポート構造体である。第２のパートは、特定サイズの内部サポート構造体を受容するように構成される取り外し可能カバーであり、それによって、軟らかい材質の内部サポートとカバーを備える表底とを提供する。多様なカバーのデザインが、単一のサイズの内部サポート構造体に適応するように構成され、それによって、単一の内部サポート構造体を共有する交換可能なカバー、および複数の靴のデザインが提供される。取り外し可能カバーは、実質的に、サポートされる靴よりも小さな収納空間を取り、それによって、全てが単一の内部サポートを共有する数個の靴のデザインを荷造りする旅行者にとって、軽減された保管空間が必要とされる。
2007507323.tif 000002
【特許請求の範囲】
【請求項１】
交換可能な靴を提供する方法であって、該交換可能な靴は、変更される際、多様な外観を提供し、該方法は、以下：
内部サポート構造体を提供する工程であって、該内部サポート構造体は少なくとも縦のヒールサポート部を有する中底を備え、実質的に該ヒールサポート部からつま先表面へ延びる長さ方向の軸を有する、工程と、
それぞれが表底およびトップカバー部を備える少なくとも２つの取り外しカバーを提供する工程であって、該取り外し可能カバーは実質的にヒール部からつま先部へ延びる長さ方向の軸を有し、該取り外し可能カバーは、該内部サポート構造体が該取り外し可能カバー内に位置決めされる際、該内部サポート構造体に、取り外し可能なように結合するように構成され、該結合は、該内部サポート構造体の縁部へ圧力をかけることによって実質的になされ、該トップカバー部はユーザの足に該カバーを取り外し可能なように結合するための締め付け要素を含み、該トップカバー部は、該内部サポート構造体の長さ方向の軸と該取り外し可能カバーの長さ方向の軸とを整列するように、該内部サポート構造体、および縦ヒールサポート部の上の部分を一部覆うためのフラップをさらに含む、工程と
を包含する、方法。
【請求項２】
内部サポート構造体であって、該内部サポート構造体は少なくとも縦のヒールサポート部を有する中底を備え、実質的に該ヒールサポート部からつま先表面へ延びる長さ方向の軸を有する、内部サポート構造体と、
取り外し可能カバーであって、該取り外し可能カバーは、表底およびトップカバー部を備え、実質的にヒール部からつま先部へ延びる長さ方向の軸を有し、該取り外し可能カバーは、該内部サポート構造体が該取り外し可能カバー内に位置決めされる際、該内部サポート構造体に、取り外し可能なように結合するように構成され、該結合は、該内部サポート構造体の縁部へ圧力をかけることによって実質的になされ、該トップカバー部はユーザの足に該カバーを取り外し可能なように結合するための締め付け要素を含み、該トップカバー部は、該内部サポート構造体の長さ方向の軸と該取り外し可能カバーの長さ方向の軸を整列するように、該内部サポート構造体、および縦ヒールサポート部の上の部分を一部覆うためのフラップをさらに含む、取り外し可能カバーと
を備える、モジュール式靴。
【請求項３】
空間を節約した靴コレクションのデザインを提供する方法であって、該靴コレクションは１つの靴のサイズに対応する単一のユーザに対応し、該方法は、以下：
靴のサイズによる内部サポート構造体の販売を提案する工程と、
複数のカバーの販売を提案する工程であって、それぞれのカバーは、表底およびトップ部を含み、特定のサイズの内部サポート構造体に、内部構造において適応するように構成され、該特定のサイズの内部サポート構造体は、該カバー内に内部構造において位置決めする際、自己サポート靴を提供するために、該カバーへの構造的なサポートを提供し、それぞれのカバーは、実質的に該自己サポート靴よりも少ない収容空間を取るように、該表底に向かって該トップ部を折りたたむように構成される、工程と
を包含する、方法。
【請求項４】
靴のサイズに対応する１つの内部サポート構造体の販売を提案する工程と、
複数のカバーの販売を提案する工程であって、該複数のカバーは、自己サポートの役目を果たす靴を提供するように特定のサイズの内部サポートを内部構造において適応するために構成され、それぞれのカバーは表底およびトップ部を含み、該複数のカバーは、少なくとも２つの異なったトップ部デザインを提供し、それによって、消費者は特定の靴サイズの単一の内部サポート構造体を購入し、異なったトップ部デザインに対応する該少なくとも２つの異なったカバーは、単一サイズの少なくとも２つの役目を果たす靴を提供され、それぞれの靴は異なったトップ部デザインに対応する、工程と
を包含する、靴を販売する方法。
【発明の詳細な説明】
【技術分野】
【０００１】
本発明は、モジュール式靴システムに関し、特に、交換可能な上部および表底を有するモジュール式靴に関する。
【背景技術】
【０００２】
導入として、靴は通常、底部分および上部分を含む。底部分は、表底（ｏｕｔｓｏｌｅ）または踏面（ｔｒｅａｄ  ｓｅｃｔｉｏｎ）、中物（ｍｉｄｓｏｌｅ）、および中底（ｉｎｓｏｌｅ）を含む。足は中底の上に置かれ、表底は地面に置かれる。中物は、中底と表底との間に挟まれる。上部および表底は、靴の外見を規定する。多数の理由から、交換可能な上部および表底を有する中物を用いるモジュール式靴システムの必要性がある。第一に、流行が変化するにつれ、中物部分はそのままで良いが、靴の外観を変化させる必要性がある。第二に、交換可能な上部および表底を有する中物を用いることは、靴製造コストを低減し、店または家のクローゼットの靴収納の空間を減らす。
【０００３】
本出願に関連するものは、Ｋｎｉｌａｎｓによる特許文献１である。Ｋｎｉｌａｎｓは、靴底、かかと革および先芯へ挿入され得る弾性の上部、または、それらから取り外され得る弾性の上部を有する運動靴を教示する。先芯およびかかと革の部分は、靴底と機械的に接続され、変更可能ではない。前記システムの不十分な点は、上部のパートのみが変更可能であることである。前記システムの更なる不十分な点は、表底が交換可能でないことである。前記システムの他の不十分な点は、靴の形が変更可能でないことである。
【０００４】
同様に、本出願に関連するものは、Ｐｒｅｓｔｒｉｄｇｅによる特許文献２である。Ｐｒｅｓｔｒｉｄｇｅは、雄／雌溝の締め具によって、共に外すことが可能なように繋げられた上部分および底かかと部分を有する靴を教示する。この靴の上部分は、上部の後部分および上部に開けられた紐通しの穴を含む。前記システムの不十分な点は、踏面が中底に接続されているので、独立して変更可能ではないことである。前記システムの更なる不十分な点は、上部のパートのみが変更可能であることである。前記システムの他の不十分な点は、靴の形が変更可能でないことである。
【０００５】
本出願に最も関連するものは、Ｔｅｒｒｙによる特許文献３である。Ｔｅｒｒｙは、取り外し可能な中物を有するリバーシブルの靴を教示する。この靴の上部は、表底と永続的に繋がれており、一つの要素を形成する。前記システムの不十分な点は、上部が中物上で、上部を適所に支えるためにジッパーまたは同様の配置を有することである。ジッパーは、少なくとも部分的に目に見え、壊れやすい。前記システムの他の不十分な点は、靴の先皮が中物と共に形成され、交換可能でないことである。前記システムの更なる不十分な点は、上部が完全には交換可能でないことである。前記システムの他の不十分な点は、靴の形が中物構造体の形に限定されることである。
【０００６】
同様に、本出願に関連するものは、Ｈｕｎｔｅｒによるである。Ｈｕｎｔｅｒは、取り外し可能であり、再組み立て可能なリバーシブルの靴を教示する。この靴の上部は、踏面に永続的に繋がれ、一つの要素を形成する。この靴は、紐、スナップ、またはボタンを用いて組み立てられる。中底は好ましいが、不可欠ではない。前記システムの不十分な点は、上部が、上部と踏面とを共に支えるために紐、スナップ、またはボタンを有することに起因するものである。紐、スナップ、またはボタンは、目に見え、靴の便利な組立ておよび取り外しを可能にしない。
【０００７】
従って、上部に追加的なファスナーを必要としない、便利且つ全体的に交換可能な上部および表底を有するモジュール式靴システムの必要性がある。
【特許文献１】米国特許第１，８０３，５５４号明細書
【特許文献２】米国特許第５，０６５，５３１号明細書
【特許文献３】米国特許第５，８２２，８８８号明細書
【特許文献４】米国特許第６，４２７，３６３号明細書
【発明の開示】
【課題を解決するための手段】
【０００８】
（発明の要旨）
本発明は、モジュール式システムの構成およびその運用方法である。簡潔に、本発明は、単一の内部サポート要素を使用する複数の靴構成を提供するために、外観が交換可能な靴構成を提供する。本発明の靴は、２つの主な構成要素からなる。コア（これより以下、「骨」）は、内部サポート構造体として、および、整形外科に基づく中底として機能することにより足に健康的にまとえるものとして、作用する。カバー（これより以下、「肌（ｓｋｉｎ）」）が通常の靴の上部および表底であるような錯覚を起こさせるように、骨を包む。交換可能な肌は、靴のタイプ、外見、およびスタイルを決定する。代替的な構成において、骨は入念に研究された衛生的な中底を含む。
【発明を実施するための最良の形態】
【０００９】
（発明の詳細な説明）
本発明は、モジュール式靴システムの構成およびその運用方法である。本発明に従うモジュール式靴システムの原理および運用は、図面およびそれに伴なう説明を参照してより良く理解され得る。
【００１０】
先ず、図１ａ〜１ｇを参照されたい。図１ａは、本発明の好ましい実施形態に従い構成され、運用可能なモジュール式靴システム１０の等角図である。図１ｂは、モジュール式靴システム１０の後部取り外し可能カバー３２の等角図である。図１ｃは、モジュール式靴システム１０の内部サポート構造体１２の基部の等角図である。図１ｄは、足がはめ込まれた内部サポート構造体１２の断面図である。図１ｅは、組立てられた状態にあるモジュール式靴システム１０の部分図である。図１ｆは、組立てられた状態にあるモジュール式靴システム１０の概略図である（明確性および説明のため、本来は隠れている特定の特徴が描写され、他の特徴が半透明になっている）。図１ｇは、組立てられた状態にあるモジュール式靴システム１０の等角図である。モジュール式靴システム１０は、内部サポート構造体１２を含む。内部サポート構造体１２は、中物１４、かかと革１６、および先芯１８を含む。内部サポート構造体１２は、先芯１８を含む前部分２０を有する。内部サポート構造体１２は、かかと革１６を含む後部分２２を有する。内部サポート構造体１２は、また、その中に配置される中底２４も含む（図１ａ）。一実施形態において、内部サポート構造体は、射出されたポリウレタン、および、皮、テキスタイル、または人工布地製の衛生的且つ快適な裏地から形成される。他の実施形態において、内部サポート構造体１２は、皮、合成化合物、熱可塑性物質、ゴム、ラテックス、木材、またはコルクのような他の材料から形成される。
【００１１】
内部サポート構造体１２は、好ましくは、かかと部、弧部、およびつま先部を含む。かかと部は、かかと革１６を組み込む。かかと革１６は、靴の滑り、または他の不必要な動きを制限するように、その靴を履いている人の足首を適所にサポートし、支えるのに役立つ。一実施形態において、かかと部は、作り付けのショック吸収材を含む。一実施形態において、弧部は、整形外科に基づく形であり、多種多様な足の弧の形をサポートするように設計されている。一実施形態において、つま先部は、入念に研究されたつま先弾性（ｔｏｅ−ｓｐｒｉｎｇ）角度を有する。つま先部はまた、つま先を保持し、保護するつま先キャップをも組み込む。
【００１２】
モジュール式靴システム１０は、例えば取り外し可能カバー２６のような複数の交換可能な第１の取り外し可能カバーを含む。適切な第１の取り外し可能カバーの他の例は、図４〜７ｖを参照して記載される。第１の取り外し可能カバーの各々は、自己整列圧力機構によって内部サポート構造体１２に代替的に取り外し可能なように、取り付けられるように構成される。モジュール式靴システム１０が組み立てられる際、取り外し可能カバーおよび内部サポート構造体が、それぞれの長さ方向の軸の間で正確な整列を提供するために、特定のサイズに作られているので、取り外し可能カバー２６は、実質的に内部サポート構造体１２を覆う。従って、取り外し可能カバー２６は、実質的に、内部サポート構造体１２が取り外し可能カバー２６に対して及ぼす圧力によってのみ、内部サポート構造体１２に取り外し可能なように取り付けられる。かかと革１６は、カバー２６の後部を直立位置にサポートするために作用し、従って、組立てられた靴システム１０の快適なかかと部を提供する。用語「実質的に圧力によってのみ取り付けられる」は、本明細書中で次のように規定され、例えば、取り外し可能カバー２６とモジュール式靴システム１０の他の要素との間の他の接続手段が、取り外し可能カバー２６と内部サポート構造体１２との間の取り付けをより確実にし得たとしても、内部サポート構造体１２によって及ぼされる取り外し可能カバー２６に対しての圧力は、モジュール式靴システム１０の通常の使用中に、取り外し可能カバー２６が内部サポート構造体１２に取り付けられたままであることを確実にするのに十分である。
【００１３】
かかと革１６が、カバー２６のかかと部への圧力を適切に与えるために、また、カバーと内部サポート構造体１２との間の整列を補助するために、適所にあることを確実にするために、図３、４、および６において示されるように、内部フラップ９９が、かかと革１６の上部を実質的に覆うために提供される。特に、かかと革１６および中物１４の縁４０は、取り外し可能カバー３２に対して圧力を及ぼし、それによって、取り外し可能カバー３２の内部サポート構造体１２への確実な取り付け、および、適切な内部サポート構造体１２との整列が確実になる。
【００１４】
取り外し可能カバー３２は、また、モジュール式靴システム１０を靴を履いている人の足と固定するために構成される、締付け配置４８も含む。本発明の好ましい実施形態に従い、締付け配置４８は、紐通しの穴５０から靴紐５１を入れるために構成される複数の紐通しの穴５０を含む（図１ｇ）。本発明の実施形態に従い、取り外し可能カバー２６は、締付け配置４８の下の少なくとも一部に配置されるように構成される舌革５２を含む。
【００１５】
図２は、本発明の内部サポート構造体の一実施形態を示す。図２の内部サポート構造体は、形作られたかかと革、および丸みを帯びたつま先キャップを含む。図３は、カバー３２、および図２の実施形態の内部サポート構造体を示す。図４は、内部サポートが本発明のモジュール式靴を提供するためにカバーへ挿入される際の図３と同じ内部サポートおよびカバーを示す。
【００１６】
図５は、本発明のカバーの例示的な表底のデザインを示す。理解され得るように、表底９８は、最終的なモジュール式靴に対して、増大した牽引力を提供するために踏面と共に形成され得る。
【００１７】
図６は、内部サポート構造体が挿入され、カバーと整列した後の本発明のモジュール式靴の３箇所を切り取った図である。
【００１８】
図１ｃの内部サポート構造体１２に代わるがわる取り付けられる取り外し可能靴カバー８８の等角図である図７ａ〜７ｖを参照されたい。本発明のモジュール式靴システムの教示が、上部と表底の両方の形およびデザインを含む多くの形およびデザインの靴を形成するために適用され得ることは、当業者に理解される。
【００１９】
図８ａ〜８ｃを参照されたい。図８ａは、本発明の第１の代替的な実施形態に従い構成され、作用可能なモジュール式靴システム９０の断面図である。図８ｂは、取り外し可能カバー１００の一部が切り取られた、図８ａの靴システム９０の部分図である。図８ｃは、図８ａの靴システム９０の概略図である（明確性および説明のため、本来は隠れている特定の特徴が描写され、それにより他の特徴が半透明になっている）。靴システム９０は、内部サポート構造体９２を含む。内部サポート構造体９２は、中物９４、かかと革９６、および先芯９８を含む。靴システム９０はまた、ひとつながり（ｏｎｅ−ｐｉｅｃｅ）の取り外し可能カバー１００をも含む。取り外しカバー１００は、上部１０２および表底１０４を含む。取り外し可能カバー１００は、実質的に、内部サポート構造体９２による取り外し可能カバー１００に対して与えられる圧力によってのみ、内部サポート構造体９２へ、「簡単に取り外し可能なように取り付けられる」よう、構成される。内部サポート構造体９２は、先ず、先芯９８を取り外し可能カバー１００へ挿入し、次にかかと革９６を取り外し可能カバー１００へ押すことによって、取り外しカバー１００へ挿入される。靴システム９０が組立てられる際、上部１０２のつま先部１１８が先芯９８を実質的に覆い、上部１０２の後部１２０がかかと革９６を覆う。上で議論されるように、後部１２０は、実質的に、かかと革９６の上部分に沿って、かかと革を部分的に覆うフラップを含む。用語「簡単に取り外し可能なように取り付けられる」は、本明細書中において次のように規定され、取り外し可能カバー１００が内部サポート構造体９２を覆うために、取り外し可能カバー１００は、内部サポート構造体９２の周りに組立てられる必要はない。限定されない例として、取り外し可能カバー１００が内部サポート構造体９２を覆うために、取り外し可能カバー１００は、ジッパーで留められる必要もなく、ボタン留めされる必要もない。内部サポート構造体９２を取り外し可能カバー１００へ挿入するために、取り外し可能カバー１００が、折り曲げられる必要性があり得ることに注意するべきである。用語「実質的に、圧力によってのみ取り付けられる」は、本明細書中で次のように規定される。例えば、取り外し可能カバー１００と靴システム９０の他の要素との間の他の接続手段が、取り外し可能カバー１００と内部サポート構造体９２との間の取り付けを強化したとしても、内部サポート構造体９２によって及ぼされる取り外し可能カバー１００に対しての圧力は、靴システム９０の通常の使用中に、取り外し可能カバー１００が内部サポート構造体９２に取り付けられたままであることを確実にするのに十分である。締付け配置１０６は、紐通しの穴１０８から靴紐（図示せず）を入れるために構成される複数の紐通しの穴１０８を含む。締付け配置１０６が、例えば、限定はされないが、伸縮可能なバンド、および留め金のような他の形において実施され得ることは、当業者により理解される。取り外し可能カバー１００は、また、締付け配置１０６の下の少なくとも一部に配置される舌革１１２をも含む。取り外し可能カバー１００の表底１０４はまた、かかと部１１６も含む。靴システム９０はまた、内部サポート構造体９２に配置される中底１１４も含む。図８ａを参照されたい。靴システム９０は、通常、内部サポート構造体９２上の適所に取り外し可能カバー１００を維持するための相補的な内部係合特徴１３２を含む。本発明の好ましい実施形態に従い、内部係合特徴１３２は、ピン１３４およびくぼみ１３６を有する。ピン１３４は内部サポート構造体９２に配置され、くぼみ１３６は取り外し可能カバー１００に配置される。くぼみ１３６が内部サポート構造体９２に配置され得、ピン１３４が取り外し可能カバー１００に配置され得ることは、当業者により理解される。上記されるように、取り外し可能カバー１００は、内部サポート構造体９２によって取り外し可能カバー１００に対して与えられる圧力によってのみ内部サポート構造体９２に付着される。内部係合特徴１３２は、靴システム９０を履いている者が内部サポート構造体９２上の取り外し可能カバー１００を正確に位置付けれるように補助する。追加的に、内部係合特徴１３２は、取り外し可能カバー１００が内部サポート構造体９２から滑り外れないかを心配し得る靴システム９０を履いている者へのさらなる安心感を提供する。
【００２０】
取り外し可能カバー１００の形が、特に取り外し可能カバー１００のつま先部分の形が、取り外し可能カバー１００の中にあり、先芯９８と取り外し可能カバー１００との間の間隔を埋める、詰め部９８を用いて規定され得ることは、当業者により理解される。先芯９８は通常、丸みを帯びた形を有するものとして示されたが、先芯９８は、例えば、限定はされないが、平らな先端および尖先端のような他の形であり得ることは、当業者により理解される。
【００２１】
取り外し可能カバー１００は、好ましくは、上部および表底の２つの主な要素を含む。上部は、好ましくは、皮、テキスタイル、合成物質、積層プラスチック、凝固物、不織布、およびエナメル皮のような一般的に使用される靴の材料製である。上部は、一般的な靴の外観として表れるように好都合に合わされる。しかしながら、上部の内部構造は、一般的なかかと革（通常、皮、不織布、またはボンデット・ファイバ（ｂｏｎｄｅｄ  ｆｉｂｅｒ）製の）堅い底、つま先キャップ芯（ｔｏｅ−ｃａｐ  ｓｔｉｆｆｅｎｅｒ）を含まない。どちらかと言えば、カバーは、手袋および他の軟らかい布地アイテムを製造する際に使用される方法に似た経済的且つ効率的な方法によって作られる。従って、この効率的且つ経済的な方法によって、デザイナーは、多数の利用可能な可能性、および代替物を有する。表底は、好ましくは、皮、合成物質、熱可塑物質、ゴム、ラテックス、木材、コルク、またはそれらの組み合わせのような合成物質、または天然の物のような多様な底材料製である。表底の踏面、形、および外見は、デザイナーの裁量の範囲であり、これらは、流行、スタイル、モジュール式靴の意図される最終的な利用の機能性に従い変えられ得る。表底は、好ましくは、接着、縫うこと、直接的な射出、直接的な鋳造、または直接的な硫化のいずれかによって、上部に取り付けられる。
【００２２】
図９ａ〜９ｃを参照されたい。図９ａは、本発明の第１の代替的な実施形態に従い構成され、作用可能な、内部サポート構造体１２２に配置された細長要素１２４を有する内部サポート構造体１２２の側面図である。図９ｂは、図９ａの内部サポート構造体１２２の等角図である。図９ｃは、取り外し可能カバー１２６に挿入された図９ａの内部サポート構造体１２２の概略図である（明確性および説明のため、本来は隠れている特定の特徴が描写され、他の特徴が半透明になっている）。細長要素１２４は、取り外し可能カバー１２６のヒール１２８に挿入されるように構成される。細長要素１２４は、内部サポート構造体１２２に対する取り外し可能カバー１２６の回転および横への動きの両方を軽減する。加えて、細長要素１２４は、ヒール１２８のいかなるぐらつきを防止するのは勿論、取り外し可能カバー１２６の内部サポート構造体１２２上の位置付けを助ける。
【００２３】
図９ｄ〜９ｆを参照されたい。図９ｄ〜９ｆは、図９ａの内部サポート構造体１２２を用いて組立てられた靴１３０の等角図である。
【００２４】
本発明が、具体的に上記され、示されたものに限定されないことは、当業者により理解されるであろう。むしろ、本発明の範囲は、この記載のを理解した後、当業者が思い浮かべるであろう従来技術にはない変化および修正は勿論、上記された多様な特徴の組み合わせおよびそれらの組み合わせに近いもの両方を含む。
【図面の簡単な説明】
【００２５】
本発明は、添付の図面を参照して、ほんの一例として本明細書中に記載される。
【図１ａ】図１ａは、本発明の好ましい実施形態に従い構成され、作用可能なモジュール式靴システムの等角図である。
【図１ｂ】図１ｂは、図１ａのモジュール式靴システムの後取り外し可能カバーの等角図である。
【図１ｃ】図１ｃは、図１ａのモジュール式靴システムの内部サポート構造体の基部の等角図である。
【図１ｄ】図１ｄは、足がはめ込まれた、図１ｃの内部サポート構造体の断面図である。
【図１ｅ】図１ｅは、組立てられた状態にある図１ａのモジュール式靴システムの部分図である。
【図１ｆ】図１ｆは、組立てられた状態にある図１ａのモジュール式靴システムの概略図である
【図１ｇ】図１ｇは、組立てられた状態にある図１ａのモジュール式靴システムの等角図である。
【図２】図２は、本発明の内部サポート構造体の代替的な実施形態の等角図である。
【図３】図３は、内部サポート構造体、およびかかとフラップを供える取り外し可能カバーの２つの構成要素の等角図である。
【図４】図４は、取り外し可能カバーへ挿入される内部サポート構造体を示す。
【図５】図５は、成形された表底を有する本発明の取り外し可能カバーの平面図を示す。
【図６】図６は、本発明のモジュール式靴の切り取られた平面等角図を示す。
【図７】図７ａ〜７ｖは、図１ｃの内部サポート構造体に取り付けられた取り外し可能靴カバーの等角図である。
【図８ａ】図８ａは、本発明の第１の代替的な実施形態に従い構成され、作用可能なモジュール式靴システムの断面図である。
【図８ｂ】図８ｂは、取り外し可能カバーの一部が切り取られた、図８ａのモジュール式靴システムの部分図である。
【図８ｃ】図８ｃは、図８ａのモジュール式靴システムの概略図である。
【図９】図９ａは、本発明の第１の代替的な実施形態に従い構成され、作用可能な、内部サポート構造体に配置された細長要素を有する内部サポート構造体の側面図である。図９ｂは、図９ａの内部サポート構造体の等角図である。図９ｃは、取り外し可能カバーに挿入された図９ａの内部サポートカバーの概略図である。図９ｄ〜９ｆは、図９ａの内部サポート構造体を用いて組立てられた靴の等角図である。
【図１ａ】
2007507323.tif 000003
【図１ｂ】
2007507323.tif 000004
【図１ｃ】
2007507323.tif 000005
【図１ｄ】
2007507323.tif 000006
【図１ｅ】
2007507323.tif 000007
【図１ｆ】
2007507323.tif 000008
【図１ｇ】
2007507323.tif 000009
【図２】
2007507323.tif 000010
【図３】
2007507323.tif 000011
【図４】
2007507323.tif 000012
【図５】
2007507323.tif 000013
【図６】
2007507323.tif 000014
【図７ａ】
2007507323.tif 000015
【図７ｂ】
2007507323.tif 000016
【図７ｃ】
2007507323.tif 000017
【図７ｄ】
2007507323.tif 000018
【図７ｅ】
2007507323.tif 000019
【図７ｆ】
2007507323.tif 000020
【図７ｇ】
2007507323.tif 000021
【図７ｈ】
2007507323.tif 000022
【図７ｉ】
2007507323.tif 000023
【図７ｊ】
2007507323.tif 000024
【図７ｋ】
2007507323.tif 000025
【図７Ｌ】
2007507323.tif 000026
【図７ｍ】
2007507323.tif 000027
【図７ｎ】
2007507323.tif 000028
【図７ｏ】
2007507323.tif 000029
【図７ｐ】
2007507323.tif 000030
【図７ｑ】
2007507323.tif 000031
【図７ｒ】
2007507323.tif 000032
【図７ｓ】
2007507323.tif 000033
【図７ｔ】
2007507323.tif 000034
【図７ｕ】
2007507323.tif 000035
【図７ｖ】
2007507323.tif 000036
【図８ａ】
2007507323.tif 000037
【図８ｂ】
2007507323.tif 000038
【図８ｃ】
2007507323.tif 000039
【図９ａ】
2007507323.tif 000040
【図９ｂ】
2007507323.tif 000041
【図９ｃ】
2007507323.tif 000042
【図９ｄ】
2007507323.tif 000043
【図９ｅ】
2007507323.tif 000044
【図９ｆ】
2007507323.tif 000045
【国際調査報告】
2007507323.tif 000046
2007507323.tif 000047
2007507323.tif 000048